(57)【要約】【課題】公知のデバイスの欠点を解消し、摩擦をほとんど生じさせることなく手すりを駆動する手すり駆動装置を作製するための解決策を提供する。【解決手段】本発明の手すり駆動装置において、駆動輪のチェーンホイール（４．９）が、軸（４．１６）によって、駆動輪タイヤ（４．１）を保持する駆動輪（４．１５）に接続され、軸（４．１６）が、軸受（４．１７）によって回転可能に保持される。ガス、例えば、圧縮空気が充填された駆動輪タイヤ（４．１）は、軸（４．１６）に配設された取外し可能なホイールリム（４．１８）の上に覆うようにかけられる。駆動輪タイヤ（４．１）は、手すりの形状に適応する。駆動輪タイヤ（４．１）のばね特性やエアクッション特性と、それから得られるより大きな接触表面により、手すりは、わずかしか、または無視できる程度にしか変形しない。【選択図】      図４
2004352499.tif 000002
【特許請求の範囲】
【請求項１】
トラス（５）と、人および／または物を輸送するためのステップを備えたステップバンドまたはパレットを備えたパレットバンドと、欄干台（３．１）により保持され、手すり駆動装置（４）により駆動される手すり（２）を有する両側の欄干（３）とからなるエスカレータ（１）または動く歩道であって、前記手すり（２）を外側（２．３）上で駆動する手すり駆動装置（４）が設けられることを特徴とする、エスカレータ（１）または動く歩道。
【請求項２】
前記手すり駆動装置（４）が、前記外側（２．３）上での摩擦係合によって前記手すり（２）を駆動する駆動輪（４．１５）を有し、前記手すり（２）の内側上に配設された押圧ローラ（４．２）が、前記手すり（２）を前記駆動輪（４．１５）に押圧することを特徴とする、請求項１に記載のエスカレータ（１）または動く歩道。
【請求項３】
前記駆動輪（４．１５）が、前記外側（２．３）上での摩擦係合によって前記手すり（２）を駆動する駆動輪タイヤ（４．１）を有することを特徴とする、請求項２に記載のエスカレータ（１）または動く歩道。
【請求項４】
前記駆動輪タイヤ（４．１）が、駆動軸（４．１６）に接続されたホイールリム（４．１８）上に配設されることを特徴とする、請求項２に記載のエスカレータ（１）または動く歩道。
【請求項５】
前記駆動輪（４．１５）が、電動機（４．５）によって、またはステップチェーンホイール（８）によって、またはステップチェーンホイール駆動装置によって駆動可能であることを特徴とする、請求項３または４に記載のエスカレータ（１）または動く歩道。
【請求項６】
前記押圧ローラ（４．２）が、ロッカ（４．１１）上に配設され、前記押圧ローラ（４．２）の押圧力が、前記ロッカ（４．１１）の設定により調節可能であることを特徴とする、請求項１から５のいずれか一項に記載のエスカレータ（１）または動く歩道。
【発明の詳細な説明】
【技術分野】
【０００１】
本発明は、トラスと、人および／または物を輸送するためのステップを備えたステップバンドまたはパレットを備えたパレットバンドと、欄干台により保持され、手すり駆動装置により駆動される手すりを有する両側の欄干とからなるエスカレータまたは動く歩道に関する。
【背景技術】
【０００２】
欧州特許出願公開第６４０５５３号明細書から、エスカレータの線形手すり駆動装置が公知である。手すりの内側上で摩擦係合する２つの駆動輪が手すりを動かし、各駆動輪に対して、手すりの外側上に、手すりを駆動輪に押圧する従動輪が設けられている。
【０００３】
公知のデバイスの欠点は、手すりと駆動輪との間に滑りが生じないように、従動輪が高押圧力をかけなければならないことである。撓み作用が高いと、駆動輪および従動輪の耐用年数が短くなる。
【特許文献１】欧州特許出願公開第６４０５５３号明細書
【発明の開示】
【発明が解決しようとする課題】
【０００４】
本願明細書により、１つの改善策が提供される。請求項１に記載する本発明により、公知のデバイスの欠点を解消し、摩擦をほとんど生じさせることなく手すりを駆動する手すり駆動装置を作製するための解決策が提供される。
【０００５】
本発明の有利なさらなる展開は、従属請求項において記述されている。
【課題を解決するための手段】
【０００６】
本質的に、本発明により達成される利点として、本発明による手すり駆動装置を用いると、駆動輪タイヤと従動輪が手すりに対して押圧する圧力を軽減できることが挙げられる。駆動輪の接触表面がより大きいため、より大きな力を手すりに伝達することができる。駆動輪タイヤのばね特性と、そこから得られるより大きな接触表面により、手すりは、わずかしか、または無視できる程度にしか変形しない。さらなる利点として、駆動輪、従動輪、および手すりの耐用年数が長くなることが挙げられる。また、手すりのケースおよび／または手すりの外側に、埃および／または汚れの粒子が押し入ることができない。本発明による手すり駆動装置を用いると、手すりにおける溝、亀裂、または圧力点の形成を回避することができる。駆動輪タイヤの充填材料、例えば、圧縮空気や不活性ガスによって撓み作用が大幅に吸収されるため、撓み作用によりダメージを受けるローラが生じない。
【０００７】
添付の図面を参照しながら、本発明についてさらに詳細に説明する。
【発明を実施するための最良の形態】
【０００８】
本発明による手すり駆動装置は、パレットを備えた動く歩道にも使用することができる。本願明細書の以下の記載では「エスカレータ」という用語しか用いないが、それらの記述は、動く歩道に対しても同様になされているものである。
【０００９】
図１ａは、第１の乗場Ｅ１と第２の乗場Ｅ２とをつなぐエスカレータ１の側面図を示す。エスカレータ１は、ステップからなるステップバンドを有する。欄干台３．１によって下端部で保持された欄干３上に、乗せる側２．１および戻り側２．２を備える手すり２が配設される。トラス５上に配設された手すり駆動装置４が、手すり２を駆動する。欄干台３．１は、エスカレータ１のトラス５によって支持される。エスカレータ１の上端領域および下端領域の両方に、コムプレートが配設され、それによって、静止部分から移動ステップバンドおよび移動ステップバンドからエスカレータ１の静止部分への安全な移行が確保される。
【００１０】
図１ｂは、戻り側２．２上で手すり２を駆動する欄干台３．１に配設された手すり駆動装置４を備えたエスカレータ１の断面図を示し、図１ｃは、その詳細図を示す。参照番号６は、ステップバンドの乗せる側のステップローラを示し、参照番号７は、ステップバンドの戻り側のステップローラを示し、ステップローラ６は、ガイド６．１によって案内され、ステップローラ７は、ガイド７．１によって案内される。手すり駆動装置４の駆動輪タイヤ４．１が、外側２．３または手すり２の手すりケースと摩擦係合される。押圧ローラ４．２が、内側２．４または滑り表面上の手すり２を駆動輪タイヤ４．１に押圧し、各押圧ローラ４．２に対して、縁部２．５または手すりリップ上で手すり２を案内する手すりガイド４．３が設けられる。
【００１１】
図２は、駆動側からの手すり駆動装置４を示し、図３は、駆動輪側からの手すり駆動装置４を示す。トラス５に接続された支持体４．４上に、電動機４．５およびギアボックス４．６が配設され、ギアボックスチェーンホイール４．７が、チェーン４．８によって、駆動輪チェーンホイール４．９に接続される。チェーンホイールおよびチェーンの代わりに、ベルト（歯付きベルト、Ｖベルト）およびベルトホイールを設けることもできる。駆動輪チェーンホイール４．９は、ステップに動きを与えるステップバンド駆動装置によって駆動することもできる。支持体４．４上に、アーム４．１２付きのロッカ４．１１が旋回する軸４．１０が配設される。ロッカ４．１１は、押圧ローラ４．２の支持体として、および手すりガイド４．３の支持体として作用する。ブラケット４．１３が、アーム４．１２と支持体４．４とを接続し、ブラケット４．１３は、支持体４．４に配設されたドリル穴４．１４のうちの一つにおいて係合する。ドリル穴の選択に応じて、押圧ローラ４．２は、手すり２の内側に対してある程度押圧される。
【００１２】
図４に示すように、駆動輪チェーンホイール４．９は、軸４．１６によって、駆動輪タイヤ４．１を保持する駆動輪４．１５に接続され、軸４．１６は、軸受４．１７によって回転可能に保持される。ガス、例えば、圧縮空気が充填された駆動輪タイヤ４．１は、軸４．１６に配設された取外し可能なホイールリム４．１８の上に覆うようにかけられる。図１ｃおよび図４に示すように、駆動輪タイヤ４．１は、そのばね特性および／またはエアクッション特性により、手すり２の形状に適応する。また、駆動輪タイヤ４．１としてソリッドタイヤも考えられる。
【００１３】
図５は、手すり駆動装置４の例示的な実施形態を示す。駆動輪４．１５の駆動装置として、電動機４．５およびギアボックス４．６の代わりに、ステップスプロケット８が設けられ、ステップスプロケット８は、軸４．１６上に配設され、ステップチェーン９と係合する。ステップチェーン駆動装置によって駆動されるステップチェーン９は、チェーンリンク９．１、ステップローラ６、およびエスカレータのステップが配設されるステップ軸９．２を含む。
【００１４】
この変形例において、単純な構成および簡易な据え付けが有利である。電動機４．５、ギアボックス４．６、チェーンホイール４．７、４．９、およびチェーン４．８が省かれる。さらに、ステップチェーン９自体とともに同じ速度で手すり２を動かすステップチェーン９によって、同期が確保される。
【図面の簡単な説明】
【００１５】
【図１ａ】手すり駆動装置を備えたエスカレータの側面図である。
【図１ｂ】エスカレータの断面図である。
【図１ｃ】本発明による手すり駆動装置を備えたエスカレータ基台の断面図である。
【図２】駆動側から見た本発明による手すり駆動装置の三次元図である。
【図３】駆動輪側から見た本発明による手すり駆動装置の三次元図である。
【図４】駆動輪の軸を通る断面図である。
【図５】手すり駆動装置の別の実施形態を示す図である。
【符号の説明】
【００１６】
１  エスカレータ
２  手すり
２．１  乗せる側
２．２  戻り側
２．３  外側
２．４  内側
２．５  縁部
３  欄干
３．１  欄干台
４  手すり駆動装置
４．１  駆動輪タイヤ
４．２  押圧ローラ
４．３  手すりガイド
４．４  支持体
４．５  電動機
４．６  ギアボックス
４．７、４．９  チェーンホイール
４．８  チェーン
４．１０  軸
４．１１  ロッカ
４．１２  アーム
４．１３  ブラケット
４．１４  ドリル穴
４．１５、４．１６  駆動輪
４．１７  軸受
４．１８  ホイールリム
５  トラス
６、７  ステップローラ
６．１、７．１  ガイド
８  ステップチェーンホイール
９  ステップチェーン
９．１  チェーンリンク
９．２  ステップ軸
Ｅ１  第１の乗場
Ｅ２  第２の乗場
【図１ａ】
2004352499.tif 000003
【図１ｂ】
2004352499.tif 000004
【図１ｃ】
2004352499.tif 000005
【図２】
2004352499.tif 000006
【図３】
2004352499.tif 000007
【図４】
2004352499.tif 000008
【図５】
2004352499.tif 000009
【外国語明細書】
2004352499.tif 000010
2004352499.tif 000011
2004352499.tif 000012
2004352499.tif 000013
2004352499.tif 000014
2004352499.tif 000015
2004352499.tif 000016
2004352499.tif 000017
2004352499.tif 000018
2004352499.tif 000019
2004352499.tif 000020
2004352499.tif 000021
2004352499.tif 000022
2004352499.tif 000023
2004352499.tif 000024
2004352499.tif 000025